【手続補正書】
【提出日】平成17年6月20日(2005.6.20)
【手続補正１】
【補正対象書類名】特許請求の範囲
【補正対象項目名】全文
【補正方法】変更
【補正の内容】
【特許請求の範囲】
【請求項１】
相互に対向して液晶を挟持する第１基板および第２基板を備え、互いに異なる色に対応する複数のサブ画素を有する液晶表示パネルにおいて、
前記サブ画素の一部と重なるように前記第２基板に設けられ、前記第１基板側からの入射光を反射させる反射層と、
前記反射層よりも観察側において前記サブ画素と重なるように設けられ、当該サブ画素の色に対応する波長の光を透過させるカラーフィルタとを具備し、
前記サブ画素内の前記反射層と重なる領域内に、前記カラーフィルタが設けられていない領域を有し、
前記サブ画素のうち、前記反射層に対応する反射領域と、当該反射領域以外の領域であって前記第２基板側からの入射光を前記第１基板側に透過させる透光領域とが、平面的に見て当該サブ画素を画定する複数の辺のうちの少なくとも一の辺に接するとともに当該辺に沿って隣接し、
前記サブ画素内において、前記透光領域が前記反射領域を挟んで対向するように設けられている
ことを特徴とする液晶表示パネル。
【請求項２】
前記カラーフィルタは、前記第１基板に設けられている
ことを特徴とする請求項１に記載の液晶表示パネル。
【請求項３】
少なくとも一の色に対応するカラーフィルタの前記カラーフィルタが設けられていない領域の面積と、他の色に対応するカラーフィルタの前記カラーフィルタが設けられていない領域の面積とが異なる
ことを特徴とする請求項１に記載の液晶表示パネル。
【請求項４】
少なくとも一の色のサブ画素に対応する反射層の面積と、他の色のサブ画素に対応する反射層の面積とが異なる
ことを特徴とする請求項１に記載の液晶表示パネル。
【請求項５】
前記サブ画素の前記少なくとも一の辺は、略矩形状の前記サブ画素を画定する複数の辺のうち対向する一対の辺である
ことを特徴とする請求項１に記載の液晶表示パネル。
【請求項６】
前記サブ画素の周囲を遮光する遮光層を具備する
ことを特徴とする請求項１に記載の液晶表示パネル。
【請求項７】
前記第２基板上に設けられた、前記液晶に電圧を印加するための電極を具備し、前記反射層は、導電性を有するとともに前記電極と電気的に接続されている
ことを特徴とする請求項１に記載の液晶表示パネル。
【請求項８】
請求項１に記載の液晶表示パネルを備える
ことを特徴とする電子機器。
【請求項９】
相互に対向して液晶を挟持する一対の基板と、互いに異なる色に対応する複数のサブ画素とを有し、前記サブ画素と重なるように設けられて当該サブ画素の色に対応する波長の光を透過させるカラーフィルタを備え、前記サブ画素内において前記カラーフィルタが設けられていない領域を有する液晶表示パネルにおいて用いられる液晶表示パネル用基板であって、
前記一対の基板のうちの一の基板と、
前記サブ画素の一部と重なるように前記一の基板に設けられ、前記一対の基板のうちの他の基板側からの入射光を反射させる反射層とを具備し、
前記カラーフィルタが設けられていない領域が前記サブ画素のうち前記反射層と重なる領域内に位置するように、かつ、
前記サブ画素のうち、前記反射層に対応する反射領域と、当該反射領域以外の領域であって、入射光を前記一対の基板のうちの他の基板側に透過させる透光領域とが、平面的に見て当該サブ画素を画定する複数の辺のうちの少なくとも一の辺に接するとともに当該辺に沿って隣接するように、前記反射層の形状が選定され、
前記サブ画素内において、前記透光領域が前記反射領域を挟んで対向するように設けられている
ことを特徴とする液晶表示パネル用基板。
【請求項１０】
前記カラーフィルタが前記一の基板に設けられている
ことを特徴とする請求項９に記載の液晶表示パネル用基板。
【請求項１１】
相互に対向して液晶を挟持する一対の基板と、互いに異なる色に対応する複数のサブ画素を有する液晶表示パネルに用いられる液晶表示パネル用基板において、
前記一対の基板のうち、前記サブ画素の一部と重なるように反射層が設けられた一の基板と、
前記サブ画素と重なるように前記一の基板に設けられ、当該サブ画素の色に対応する波長の光を透過させるカラーフィルタとを具備し、
前記サブ画素内の前記反射層と重なる領域内に、前記カラーフィルタが設けられていない領域を有し、
前記サブ画素のうち、前記反射層に対応する反射領域と、当該反射領域以外の領域であって、入射光を前記一対の基板のうちの他の基板側に透過させる透光領域とが、平面的に見て当該サブ画素を画定する複数の辺のうちの少なくとも一の辺に接するとともに当該辺に沿って隣接し、
前記サブ画素内において、前記透光領域が前記反射領域を挟んで対向するように設けられている
ことを特徴とする液晶表示パネル用基板。
【請求項１２】
相互に対向して液晶を挟持する第１基板および第２基板を備え、互いに異なる色に対応する複数のサブ画素を有する液晶表示パネルにおいて、
前記サブ画素の一部と重なるように前記第２基板に設けられ、前記第１基板側からの入射光を反射させる反射層と、
前記反射層よりも観察側において前記サブ画素と重なるように設けられ、当該サブ画素の色に対応する波長の光を透過させるカラーフィルタと、
前記サブ画素の周囲を遮光するように前記第１基板に設けられた遮光層とを具備し、
前記サブ画素内の前記反射層と重なる領域内に、前記カラーフィルタが設けられていない領域を有し、
前記サブ画素のうち、前記反射層に対応する反射領域と、当該反射領域以外の領域であって前記第２基板側からの入射光を前記第１基板側に透過させる透光領域とが隣接し、且つ平面的に見て前記遮光層の前記サブ画素側の辺に近接して配置される
ことを特徴とする液晶表示パネル。
【手続補正２】
【補正対象書類名】明細書
【補正対象項目名】０００７
【補正方法】変更
【補正の内容】
【０００７】
上記課題を解決するため、相互に対向して液晶を挟持する第１基板および第２基板を備え、互いに異なる色に対応する複数のサブ画素を有する液晶表示パネルにおいて、前記サブ画素の一部と重なるように前記第２基板に設けられ、前記第１基板側からの入射光を反射させる反射層と、前記反射層よりも観察側において前記サブ画素と重なるように設けられ、当該サブ画素の色に対応する波長の光を透過させるカラーフィルタとを具備し、前記サブ画素内の前記反射層と重なる領域内に、前記カラーフィルタが設けられていない領域を有し、前記サブ画素のうち、前記反射層に対応する反射領域と、当該反射領域以外の領域であって前記第２基板側からの入射光を前記第１基板側に透過させる透光領域とが、平面的に見て当該サブ画素を画定する複数の辺のうちの少なくとも一の辺に接するとともに当該辺に沿って隣接し、前記サブ画素内において、前記透光領域が前記反射領域を挟んで対向するように設けられていることを特徴とする。
【手続補正３】
【補正対象書類名】明細書
【補正対象項目名】００１０
【補正方法】変更
【補正の内容】
【００１０】
また、本発明に係る液晶表示パネルにあっては、前記サブ画素のうち、前記反射層に対応する反射領域と、当該反射領域以外の領域であって前記第２基板側からの入射光を前記第１基板側に透過させる透光領域とが、当該サブ画素を画定する複数の辺のうちの少なくとも一の辺に接するとともに当該辺に沿って隣接する構成が望ましい。この場合、前記サブ画素の前記少なくとも一の辺を、略矩形状の前記サブ画素を画定する複数の辺のうち対向する一対の辺とすることが考えられる。この構成によれば、製造上の誤差に起因してサブ画素の周縁近傍の部分が表示に寄与し得ないこととなったときでも、反射領域および透光領域の双方の面積が減少することとなり、これらの領域のうちいずれか一方の面積のみが減少することを防ぐことができる。したがって、たとえ製造上の誤差が生じた場合であっても、反射領域と透光領域との面積比率が所期の面積比率と異なる事態が回避され、この結果、反射型表示のときの表示品位と透過型表示のときの表示品位とのバランスを維持することができる。例えば、サブ画素の周囲を遮光するための遮光層を具備する液晶表示パネルにおいては、製造上の誤差によって遮光層がサブ画素の周縁近傍の部分と重なり、当該部分が表示に寄与し得ないものとなる場合が生じ得る。かかる場合であっても、本発明によれば、反射領域と透光領域との面積比率が所期の（設計上の）面積比率と異なるのを抑えることができるのである。
【手続補正４】
【補正対象書類名】明細書
【補正対象項目名】００１４
【補正方法】変更
【補正の内容】
【００１４】
すなわち、前者に係る液晶表示パネル用基板は、相互に対向して液晶を挟持する一対の基板と、互いに異なる色に対応する複数のサブ画素とを有し、前記サブ画素と重なるように設けられて当該サブ画素の色に対応する波長の光を透過させるカラーフィルタを備え、前記サブ画素内において前記カラーフィルタが設けられていない領域を有する液晶表示パネルにおいて用いられる液晶表示パネル用基板であって、前記一対の基板のうちの一の基板と、前記サブ画素の一部と重なるように前記一の基板に設けられ、前記一対の基板のうちの他の基板側からの入射光を反射させる反射層とを具備し、前記カラーフィルタが設けられていない領域が前記サブ画素のうち前記反射層と重なる領域内に位置するように、かつ、前記サブ画素のうち、前記反射層に対応する反射領域と、当該反射領域以外の領域であって、入射光を前記一対の基板のうちの他の基板側に透過させる透光領域とが、平面的に見て当該サブ画素を画定する複数の辺のうちの少なくとも一の辺に接するとともに当該辺に沿って隣接するように、前記反射層の形状が選定され、前記サブ画素内において、前記透光領域が前記反射領域を挟んで対向するように設けられていることを特徴とする。この液晶表示パネル用基板においては、前記カラーフィルタが前記一の基板に設けられている構成としてもよい。
【手続補正５】
【補正対象書類名】明細書
【補正対象項目名】００１５
【補正方法】変更
【補正の内容】
【００１５】
一方、後者に係る液晶表示パネルは、相互に対向して液晶を挟持する一対の基板と、互いに異なる色に対応する複数のサブ画素を有する液晶表示パネルに用いられる液晶表示パネル用基板において、前記一対の基板のうち、前記サブ画素の一部と重なるように反射層が設けられた一の基板と、前記サブ画素と重なるように前記一の基板に設けられ、当該サブ画素の色に対応する波長の光を透過させるカラーフィルタとを具備し、前記サブ画素内の前記反射層と重なる領域内に、前記カラーフィルタが設けられていない領域を有し、前記サブ画素のうち、前記反射層に対応する反射領域と、当該反射領域以外の領域であって、入射光を前記一対の基板のうちの他の基板側に透過させる透光領域とが、平面的に見て当該サブ画素を画定する複数の辺のうちの少なくとも一の辺に接するとともに当該辺に沿って隣接し、前記サブ画素内において、前記透光領域が前記反射領域を挟んで対向するように設けられていることを特徴とする。
【手続補正６】
【補正対象書類名】明細書
【補正対象項目名】００４０
【補正方法】変更
【補正の内容】
【００４０】
再び図５において、各サブ画素５と、当該サブ画素５内の反射領域５１および透光領域５２との位置関係に着目すると、本実施形態においては、反射領域５１と透光領域５２の双方が、サブ画素５を画定する４本の辺（すなわちサブ画素５の周縁を構成する４本の辺）のうちＹ方向に延在する一対の辺に接するとともに、各領域がこの辺に沿って隣接するようになっている。すなわち、略長方形状のサブ画素５のうち二本の長辺の各々を当該辺の一端から他端に向かって辿った場合、当該辺に沿って、透光領域５２、反射領域５１、透光領域５２の順に各領域が隣接することとなる。換言すると、図５に示すように、サブ画素５の長辺に接し、かつ当該辺と平行な直線Ｌを当該サブ画素５内において想定した場合に、当該直線Ｌが反射領域５１と透光領域５２の双方を通過するようになっているのである。
【手続補正７】
【補正対象書類名】明細書
【補正対象項目名】００４２
【補正方法】変更
【補正の内容】
【００４２】
ひとつのサブ画素５内に反射領域５１と透光領域５２とを含ませるための構成としては、例えば図６（ａ）に示す構成も考えられる。すなわち、各サブ画素５に対応する反射層２１の周縁が当該サブ画素５の周縁に接しないように、換言すれば各サブ画素５の周縁に透光領域５２のみが接するように、反射層２１を形成するのである。
【手続補正８】
【補正対象書類名】明細書
【補正対象項目名】００４３
【補正方法】変更
【補正の内容】
【００４３】
ここで、かかる構成の液晶表示パネル１を製造する工程のうち、反射層２１が形成された第２基板２０と、遮光層１１が形成された第１基板１０とを貼り合わせる工程に着目する。この工程においては、両基板同士の相対的な位置合わせを行いつつ当該基板同士を貼り合わせるのが一般的である。このとき、例えば、製造技術上の理由などに起因して両基板のＸ方向における相対的な位置がずれたと仮定すると、図６（ｂ）に示すように、サブ画素５のうち透光領域５２の一部が遮光層１１によって覆われることとなる。このように遮光層１１によって覆われた部分は表示に寄与し得ないものとなるため、サブ画素５に占める透光領域５２の面積は、遮光層１１が適切に配置された場合（すなわち図６（ａ）の場合）と比較して小さくなる。他方、反射領域５１は領域の周縁に接しないため、かかる基板のずれが生じた場合であっても反射領域５１は遮光層１１によって覆われることはない。つまり、サブ画素５に占める反射領域５１の面積は、図６（ａ）に示した場合と変わらないのである。このように、図６に示した構成においては、基板の貼り合わせ誤差に起因して、透光領域５２の面積が減少する一方で反射領域５１の面積は変わらないため、反射領域５１と透光領域５２との面積比率が、所期の面積比率とは異なったものとなってしまう。この結果、透過型表示の明るさが、反射型表示の場合と比較して暗くなるといった具合に、表示方式によって明るさにばらつきが生じることとなる。